(57)【要約】従来の管路の洗浄装置では、室内から洗浄剤を注入するため、依頼主立ち合いのもと作業を行うため、作業効率の良い洗浄作業を行い難いという問題があった。本発明の管路の洗浄装置１０では、主に、マルチヘッダー部１２と、その一端側がマルチヘッダー部１２に連結する複数の洗浄用流体供給管路１３と、各排水管１５の排水口の近傍に配設される洗浄用流体注入管路１４と、を有している。この構造により、作業者は、マルチヘッダー部１２に洗浄用流体を送り込むことで、各水回り設備に配設される枝排水管１５Ａに対して洗浄用流体を注入し、枝排水管１５Ａ及び主排水管１５Ｂ内を洗浄することができる。その結果、排水管洗浄の依頼主は、その作業に立ち会うことが不要となり、作業効率の良い洗浄作業が実現される。
2020035914.tif 000002
【特許請求の範囲】
【請求項１】
建築物の管路に対して洗浄用流体を注入して前記管路の内部を洗浄する管路の洗浄装置において、
前記洗浄用流体が供給される注入用接続部と、前記注入用接続部から供給された前記洗浄用流体を分配して排出する複数の排出用接続部と、を有するマルチヘッダー部と、
前記管路と連通して前記管路の一部に配設される洗浄用流体注入管路と、
その一端側が前記排出用接続部と連結すると共に、その他端側が前記洗浄用流体注入管路に連結する洗浄用流体供給管路と、を有することを特徴とする管路の洗浄装置。
【請求項２】
前記管路は、前記建築物の複数の水回り設備に対してそれぞれ連結する複数の枝管路と、前記枝管路が合流する主管路と、を有し、
前記洗浄用流体注入管路は、前記枝管路に対してそれぞれ配設されると共に、前記洗浄用流体が前記枝管路から前記建築物の室内へと逆流することを防止する逆止弁機構を有することを特徴とする請求項１に記載の管路の洗浄装置。
【請求項３】
前記マルチヘッダー部は、前記建築物の外壁または前記外壁に固定された収納ボックス内に配設されていることを特徴とする請求項１または請求項２に記載の管路の洗浄装置。
【請求項４】
前記洗浄用流体を生成し、前記マルチヘッダー部に前記洗浄用流体を供給する泡生成装置と、を更に有し、
前記泡生成装置は、
圧縮空気を供給する空気圧縮機と、
前記圧縮空気を搬送する空気搬送管路と、
洗浄液を貯留する貯留タンクと、
前記洗浄液を前記貯留タンクから吸引し圧送する電動ポンプと、
前記洗浄液を搬送する洗浄液搬送管路と、
前記空気搬送管路及び前記洗浄液搬送管路と連結し、前記圧縮空気と前記洗浄液とが混合した混合流体から前記洗浄用流体としての第１の泡状洗浄剤及び第２の泡状洗浄剤を生成する泡生成機構と、
前記第２の泡状洗浄剤を搬送する泡搬送管路と、を備え、
前記泡生成機構は、それぞれ並列配置される複数の第１の泡生成機構と、前記第１の泡生成機構の下流側に配置される第２の泡生成機構と、を有し、
前記第１の泡生成機構では、前記混合流体から前記第１の泡状洗浄剤を生成し、
前記第２の泡生成機構では、前記第１の泡生成機構にて生成された前記第１の泡状洗浄剤から前記第２の泡状洗浄剤を生成し、
前記第２の泡状洗浄剤の泡は、前記第１の泡状洗浄剤の泡よりも粒径が小さい泡であることを特徴とする請求項１から請求項３のいずれか１項に記載の管路の洗浄装置。
【請求項５】
前記泡生成機構は、縮径部と、前記縮径部と連通した拡径部とを有し、
前記縮径部及び前記拡径部は、配管及び前記配管と接続する継手を用いて形成され、
前記縮径部は、前記分岐した空気搬送管路と前記分岐した洗浄液搬送管路とを合流させる前記継手に対してその上流側にて連結する前記配管に設けられ、
前記拡径部は、前記合流させる継手であることを特徴とする請求項４に記載の管路の洗浄装置。
【請求項６】
前記空気搬送管路には、前記空気圧縮機よりも下流側に前記圧縮空気を加熱する空気加温機が配設され、
前記洗浄液搬送管路には、前記貯留タンクと前記電動ポンプとの間に前記洗浄液を加熱する洗浄液加熱タンクが配設されていることを特徴とする請求項４または請求項５に記載の管路の洗浄装置。
【発明の詳細な説明】
【技術分野】
【０００１】
本発明は、戸建て住宅、マンション等の集合住宅やオフィスビル等の建築物の管路の洗浄装置に関し、特に、室外から洗浄用流体を排水管に送り込むことで、住居人等の不在時においても管路内部を洗浄することができる管路の洗浄装置に関する。
【背景技術】
【０００２】
戸建て住宅、マンション等の集合住宅やオフィスビル等の建築物に配設される排水管は、長期間の使用によりその内壁面のヌメリ、動植物性の油脂、カビ、ヘドロなどの様々な汚れが付着し、堆積してスライムを形成する。このような排水管は機能が低下するため、排水管内の洗浄作業が必要とされる。そして、排水管の洗浄装置として、一般に、化学的な洗浄装置や物理的な洗浄装置が知られている。【０００３】
物理的な洗浄装置として、例えば、特許文献１に記載の高圧ガスと高圧水を用いた高圧洗浄装置が知られている。ミキシングノズルは、先端部側にミキシング室を設け、後端部側に貫通して一体化させた噴射ノズルを設ける。高圧ガスは耐圧ホースを介してボンベからミキシング室内に供給され、高圧水は耐圧ホースを介してタンク内の水や薬液を電動ポンプにて吸上げて噴射ノズルに供給される。【０００４】
そして、供給された高圧ガスと高圧水は、ミキシング室内で十分に混合した後に排水管内に供給される。高圧ガスが、排水管内で拡散されることにより水を激しく泡立たせて排水管内で発泡を行う。その発泡の際に生じる物理的な外力を利用し、排水管の内壁面のスライムなどの付着物を遊離する。【０００５】
また、上記戸建て住宅のシステムキッチン等の排水管の洗浄方法として、例えば、特許文献２に記載の洗浄方法が知られている。システムキッチンのシンクの排水口本体の奥側には、円形のホース挿入口と排水口とが形成され、ホース挿入口と排水口には、Ｓ字トラップが接続されている。そして、Ｓ字トラップは、その下流側にて枝排水管と接続し、シンクの排水口本体から流される排水は、排水口からＳ字トラップ及び枝排水管を経由して主排水管へと合流し、住宅外部の排水マスへと排出される。【０００６】
ここで、排水口には、目皿が螺着され、ホース挿入口には、枝排水管や主排水管の高圧洗浄時以外には、キャップが被せられ、主排水管や枝排水管からの臭気が室内へと充満することが防止される。そして、主排水管や枝排水管を高圧洗浄する際には、ホース挿入口を介して、高圧洗浄用のホースが、直接、主排水管や枝排水管へ挿入され、高圧洗浄を行うことで、Ｓ字トラップに邪魔されることなく、高圧洗浄による洗浄効果を高めることができる。
【先行技術文献】
【特許文献】
【０００７】
【特許文献１】特許第２６７７３６２号公報
【特許文献２】特開２００６−３４８６８４号公報
【発明の概要】
【発明が解決しようとする課題】
【０００８】
上記特許文献２に記載の排水管の洗浄方法では、作業者は、上記住宅の室内に洗浄装置を設置し、排水口本体のホース挿入口を介して高圧洗浄用のホースを、直接、主排水管や枝排水管へと挿入し、高圧洗浄を行う。そのため、排水管の洗浄作業の際には、住居人等に立ち会って貰う必要があり、住居人等は、作業日の行動時間が制約されてしまうという問題がある。【０００９】
一方、作業者は、作業時間に伺った際に住居人等が急に不在の場合には作業が行えず、改めて日程調整を行うと共に、作業員の手配、作業現場の配置転換等を行わなければならず、作業効率が悪化するという問題がある。【００１０】
更には、作業者は、室内の床等を洗浄剤、水や汗による足跡等により汚さない様に、床面等に養生シートを設置し、細心の注意を図りながら作業を行う。そのため、作業者は、洗浄作業毎に、上記養生シートの設置作業や撤収作業が必要となり、作業時間が長くなる等、作業効率が悪化する原因となっている。また、高圧洗浄作業では、男性の作業員が担当する事が多く、現実問題として、女性の一人暮らしの住宅等では、作業員が室内に入って作業するため、中々、作業依頼を受注し難いという問題もある。【００１１】
また、上記特許文献１に記載の高圧洗浄装置では、装置自体が大型化し、持ち運びが大変であると共に、ポンプ等の駆動音も大きく、マンション等の上記住宅の排水管の洗浄には不向きであるという問題がある。【００１２】
本発明は、上記事情に鑑みてなされたものであり、戸建て住宅、マンション等の集合住宅やオフィスビル等の建築物の管路の洗浄装置に関し、室外から洗浄用流体を管路に送り込むことで、住居人等の不在時においても管路内部を洗浄することができる管路の洗浄装置を提供することにある。
【課題を解決するための手段】
【００１３】
本発明の管路の洗浄装置では、建築物の管路に対して洗浄用流体を注入して前記管路の内部を洗浄する管路の洗浄装置において、前記洗浄用流体が供給される注入用接続部と、前記注入用接続部から供給された前記洗浄用流体を分配して排出する複数の排出用接続部と、を有するマルチヘッダー部と、前記管路と連通して前記管路の一部に配設される洗浄用流体注入管路と、その一端側が前記排出用接続部と連結すると共に、その他端側が前記洗浄用流体注入管路に連結する洗浄用流体供給管路と、を有することを特徴とする。【００１４】
また、本発明の管路の洗浄装置では、前記管路は、前記建築物の複数の水回り設備に対してそれぞれ連結する複数の枝管路と、前記枝管路が合流する主管路と、を有し、前記洗浄用流体注入管路は、前記枝管路に対してそれぞれ配設されると共に、前記洗浄用流体が前記枝管路から前記建築物の室内へと逆流することを防止する逆止弁機構を有することを特徴とする。【００１５】
また、本発明の管路の洗浄装置では、前記マルチヘッダー部は、前記建築物の外壁または前記外壁に固定された収納ボックス内に配設されていることを特徴とする。【００１６】
また、本発明の管路の洗浄装置では、前記洗浄用流体を生成し、前記マルチヘッダー部に前記洗浄用流体を供給する泡生成装置と、を更に有し、前記泡生成装置は、圧縮空気を供給する空気圧縮機と、前記圧縮空気を搬送する空気搬送管路と、洗浄液を貯留する貯留タンクと、前記洗浄液を前記貯留タンクから吸引し圧送する電動ポンプと、前記洗浄液を搬送する洗浄液搬送管路と、前記空気搬送管路及び前記洗浄液搬送管路と連結し、前記圧縮空気と前記洗浄液とが混合した混合流体から前記洗浄用流体としての第１の泡状洗浄剤及び第２の泡状洗浄剤を生成する泡生成機構と、前記第２の泡状洗浄剤を搬送する泡搬送管路と、を備え、前記泡生成機構は、それぞれ並列配置される複数の第１の泡生成機構と、前記第１の泡生成機構の下流側に配置される第２の泡生成機構と、を有し、前記第１の泡生成機構では、前記混合流体から前記第１の泡状洗浄剤を生成し、前記第２の泡生成機構では、前記第１の泡生成機構にて生成された前記第１の泡状洗浄剤から前記第２の泡状洗浄剤を生成し、前記第２の泡状洗浄剤の泡は、前記第１の泡状洗浄剤の泡よりも粒径が小さい泡であることを特徴とする。【００１７】
また、本発明の管路の洗浄装置では、前記泡生成機構は、縮径部と、前記縮径部と連結した拡径部とを有し、前記縮径部及び前記拡径部は、配管及び前記配管と接続する継手を用いて形成され、前記縮径部は、前記分岐した空気搬送管路と前記分岐した洗浄液搬送管路とを合流させる前記継手に対してその上流側にて連結する前記配管に設けられ、前記拡径部は、前記合流させる継手であることを特徴とする。【００１８】
また、本発明の管路の洗浄装置では、前記空気搬送管路には、前記空気圧縮機よりも下流側に前記圧縮空気を加熱する空気加温機が配設され、前記洗浄液搬送管路には、前記貯留タンクと前記電動ポンプとの間に前記洗浄液を加熱する洗浄液加熱タンクが配設されていることを特徴とする。
【発明の効果】
【００１９】
本発明の管路の洗浄装置では、洗浄用流体が注入されるマルチヘッダー部と、管路の一部に配設される洗浄用流体注入管路と、その一端側がマルチヘッダー部と連結し、その他端側が洗浄用流体注入管路に接続される洗浄用流体供給管路と、を有している。そして、管路を洗浄する作業者は、マルチヘッダー部に洗浄用流体を注入することで、管路の内部を洗浄することができる。この構造により、作業者は、マルチヘッダー部に対して洗浄用流体を注入することで、複数の管路を洗浄することができ、作業効率を大幅に向上させることができる。【００２０】
また、本発明の管路の洗浄装置では、洗浄用流体注入管路が、複数の枝管路に対してそれぞれ配設されると共に、その洗浄用流体注入管路に対して洗浄用流体供給管路が配設されている。そして、複数の枝管路は、主管路に合流している。この構造により、各枝管路に注入された洗浄用流体は、各枝管路を洗浄しながら、主管路に流れ込むことで、一度の作業にて枝管路及び主管路を洗浄することができる。【００２１】
また、本発明の管路の洗浄装置では、マルチヘッダー部は、建築物の外壁または外壁に固定された収納ボックス内に配設されている。この構造により、作業者は、室内に立ち入ることなく管路の洗浄作業を行うことができ、配管洗浄の依頼主は、上記洗浄作業に立ち会う必要がなく、作業時間中の拘束を受けることを防止できる。また、作業者も、依頼主の急な不在により洗浄作業が中止となることを防止できる。特に、集合住宅では、多くの住居者の都合を合わせると、土曜日、日曜日、祝日しか作業を行うことが出来なかったが、上記外部から洗浄作業が可能となることで、作業日の制限が無くなり、作業員や洗浄車を効率的に活用することができる。【００２２】
また、本発明の管路の洗浄装置では、管路の洗浄に用いる洗浄用流体として泡状洗浄剤を用いることができる。そして、泡状洗浄剤を生成する泡生成装置では、粒径の細かい泡を生成することができ、生成された泡は、長時間にわたり泡状態を維持し易い洗浄剤である。この構造により、マルチヘッダー部から各枝管路へと送り込まれた泡状洗浄剤は、枝管路の内部及び主管路の内部も充填し、一度の作業にて効率良く管路内を洗浄することができる。【００２３】
また、本発明の管路の洗浄装置では、泡生成装置の泡生成機構内において、圧縮空気を搬送する空気搬送管路と、洗浄液を搬送する洗浄液搬送管路とを接続する継手と、その継手の上流側に接続する配管とを用いて、泡生成機構の縮径部と拡径部とを形成している。この構造により、上記継手内にて勢い良く圧縮空気と洗浄液を衝突させると共に攪拌しながら混合させることができ、安定した泡を生成することができる。【００２４】
また、本発明の管路の洗浄装置では、空気搬送管路には空気加温機が配設されると共に、洗浄液搬送管路には洗浄液加熱タンクが配設される。この構造により、泡生成機構にて生成された泡状洗浄剤は、高温状態にて建築物の配管等の洗浄対象物内に充填される。そして、高温状態の泡状洗浄剤にて管路内等が洗浄されることで、その洗浄効果が高められる。
【図面の簡単な説明】
【００２５】
【図１】本発明の一実施形態である管路の洗浄装置の戸建て住宅への配設状態を説明する系統図である。
【図２】本発明の一実施形態である管路の洗浄装置を構成するマルチヘッダー部を説明する斜視図である。
【図３】本発明の一実施形態である管路の洗浄装置を構成する洗浄用流体注入管路を説明する（Ａ）斜視図、（Ｂ）斜視図である。
【図４】本発明の一実施形態である管路の洗浄装置の集合住宅への配設状態を説明する系統図である。
【図５】本発明の一実施形態である管路の洗浄装置に用いる泡生成装置の構成を説明する系統図である。
【図６】本発明の一実施形態である泡生成装置の泡生成機構を説明する図である。
【発明を実施するための形態】
【００２６】
以下、図１から図４を用いて、本発明の一実施形態に係る管路の洗浄装置を図面に基づき詳細に説明する。尚、本実施形態の説明の際には、同一の部材には原則として同一の符番を用い、繰り返しの説明は省略する。
【００２７】
図１は、本実施形態の戸建て住宅１１に配設された管路の洗浄装置１０を説明する系統図である。図２は、本実施形態の管路の洗浄装置１０のマルチヘッダー部１２を説明する斜視図である。図３（Ａ）及び図３（Ｂ）は、本実施形態の管路の洗浄装置１０の洗浄用流体注入管路１４を説明する斜視図である。図４は、本実施形態の集合住宅３１に配設された管路の洗浄装置１０を説明する系統図である。
【００２８】
図１に示す如く、管路の洗浄装置１０（以下、「洗浄装置１０」と呼ぶ。）は、主に、マルチヘッダー部１２と、その一端側がマルチヘッダー部１２に連結する複数の洗浄用流体供給管路１３と、各管路、例えば、排水管１５の排水口の近傍に配設される洗浄用流体注入管路１４と、を有している。尚、以下の説明では、洗浄用流体注入管路１４は、その内部に逆止弁機構が配設される逆止弁管路として説明するが、この場合に限定するものではない。例えば、下記浴槽１６Ａや便器１８Ａ等、洗浄用流体が、若干、逆流しても問題ない場合には、洗浄用流体注入管路１４として上記逆止弁機構を有しない場合でも良い。
【００２９】
戸建て住宅１１には、複数の水回り管路が敷設され、水回り管路としては、給水管（図示せず）と、排水管１５が敷設されている。戸建て住宅１１には、浴室１６、洗面所１７、便所１８、台所１９等の水回り設備が設けられている。そして、浴室１６内の浴槽１６Ａ、洗面所１７内の洗濯機１７Ａや洗面台１７Ｂ、便所１８内の便器１８Ａ、台所１９内のシンク１９Ａは、排水管１５と連結し、排水管１５には、上記洗濯機１７Ａ等から、日常的に発生する洗浄水等の生活排水が排出される。尚、排水管１５は、上記生活排水だけでなく、便器１８Ａから流れる汚水を流す汚水管も含むものである。
【００３０】
図示したように、戸建て住宅１１内に敷設される排水管１５は、例えば、上記浴槽１６Ａ等と連結する複数の枝排水管１５Ａと、複数の枝排水管１５Ａが連結する主排水管１５Ｂと、を有している。そして、複数の枝排水管１５Ａは、各々上記浴槽１６Ａ等の排水口に連結し、上記生活排水や汚水は、枝排水管１５Ａを経由して、主排水管１５Ｂに流れ込み、主排水管１５Ｂと連結する排水マス２０に流れ込んだ後、公共の下水管２１へと流れ込む。
【００３１】
排水管１５には、その長期間の使用によりその内壁面のヌメリ、動植物性の油脂、カビ、ヘドロなどの様々な汚れが付着し、堆積してスライムを形成する。そして、排水管１５の内壁面に上記スライム等が堆積することで、排水管１５としての機能低下を招くと共に、ゴキブリ等の害虫の棲家となり不衛生となるため、定期的な排水管１５内の洗浄が望ましい。
【００３２】
洗浄装置１０のマルチヘッダー部１２は、例えば、住宅１１の外壁１１Ａや外壁１１Ａに配設されるメータ類収納ボックス（図示せず）の内部等に配設される。例えば、上記メータ類収納ボックスには、水道メータやガスメータ等が配設されているが、その空きスペースを利用してマルチヘッダー部１２も収納し、固定する。尚、外壁１１Ａ及びメータ類収納ボックスに貫通孔（図示せず）が施工され、複数の洗浄用流体供給管路１３が上記貫通孔を介して住宅１１内へと配設される。
【００３３】
作業者は、排水管１５を洗浄する際にメータ類収納ボックスを開け、マルチヘッダー部１２の注入用接続部２２（図２参照）に、例えば、図５に示す泡生成装置１１０の泡搬送管路１２１の先端側を装着し、マルチヘッダー部１２内へ洗浄用流体、例えば、泡状洗浄剤を注入する。尚、洗浄用流体としては、泡状洗浄剤が用いられる場合に限定するものではなく、洗浄剤が混合された高圧水等を用いる場合でも良い。
【００３４】
洗浄装置１０の洗浄用流体供給管路１３としては、例えば、高圧ゴムホースや高圧ビニールホースが用いられ、洗浄用流体供給管路１３の一端側は、マルチヘッダー部１２の排出用接続部２３（図２参照）に固定され、洗浄用流体供給管路１３の他端側は、枝排水管１５Ａに配設される洗浄用流体注入管路１４に連通状態に固定されている。尚、洗浄用流体供給管路１３は、洗浄用流体注入管路１４に連結される場合に限定するものではなく、洗浄用流体注入管路１４の下流側の枝排水管１５Ａに直接連通状態に固定される場合でも良い。
【００３５】
本実施形態の洗浄装置１０では、例えば、浴槽１６Ａの排水口近傍の枝排水管１５Ａに対して、室外から洗浄用流体を注入することで、枝排水管１５Ａ及び主排水管１５Ｂを洗浄することができる。枝排水管１５Ａに配設された洗浄用流体注入管路１４の逆止弁機構により、洗浄用流体は排水口からオーバーフローすることなく、枝排水管１５Ａ内を充填し、その内部を洗浄しながら主排水管１５Ｂ側へと流れる。その後、洗浄用流体は、主排水管１５Ｂへと流れ込み、主排水管１５Ｂ内を充填し、その内部も洗浄しながら排水マス２０へと流れ込んだ後、公共の下水管２１へと流れ込む。
【００３６】
つまり、作業者は、戸建て住宅１１の外側からマルチヘッダー部１２を介して排水管１５内へ洗浄用流体を注入し、排水管１５の内部を洗浄することができるので、戸建て住宅１１の住居人等の不在時においても排水管１５内部を洗浄することができる。
【００３７】
その結果、戸建て住宅１１の住居人等は、洗浄作業に時間を拘束されることがなく、また、洗浄の際に作業員が室内へと入る必要もなく、特に、１人暮らしの女性でも安心して排水管１５の洗浄作業を依頼することができる。一方、洗浄業者側も、住居人等の急な不在により、作業がキャンセルされることもなく、効率的な洗浄作業を行うことができる。
【００３８】
図２に示す如く、マルチヘッダー部１２は、例えば、分岐配管２４と、分岐配管２４に対して洗浄用流体を注入するための注入用接続部２２と、分岐配管２４から各洗浄用流体供給管路１３へと洗浄用流体を分配する排出用接続部２３と、を有している。尚、本実施形態では、マルチヘッダー部１２には、６箇所の排出用接続部２３が設けられ、戸建て住宅１１内の５本の枝排水管１５Ａに対して洗浄用液体を注入する構造であるが、この場合に限定するものではなく、戸建て住宅１１の排水管１５の設計構造に応じて、排出用接続部２３の個数や注入用接続部２２と排出用接続部２３との位置関係は任意の設計変更が可能である。
【００３９】
分岐配管２４は、例えば、その内径が６０Φのステンレス管であり、その中心部に１箇所の注入用接続部２２が配設され、その両側に片側３箇所の総計６箇所の排出用接続部２３が配設されている。注入用接続部２２もその内径が６０Φのステンレス管であり、開閉用のバルブ２５が配設されている。そして、注入用接続部２２の先端側には、例えば、オス型のワンタッチカプラが配設され、注入用接続部２２には、洗浄用流体を送り込む装置、例えば、図５に示す泡生成装置１１０の泡搬送管路１２１の先端側の装着用プラグ２８、例えば、メス型のワンタッチカプラが装着される構造となる。
【００４０】
図示したように、泡搬送管路１２１の先端側には、圧力調整弁２７と、装着用プラグ２８と、開閉用レバー２９とが配設されている。そして、作業者は、装着用プラグ２８を注入用接続部２２に装着させ、注入用接続部２２と泡搬送管路１２１とを連結させると共に、圧力調整弁２７にて泡の注入圧力を調整することができる。また、作業者は、開閉用レバー２９を介して分岐配管２４内に注入する泡の流量も調整することができる。尚、図示していないが、装着用プラグ２８と開閉用レバー２９との間に流量計測装置を配設し、そのデジタル表示により作業中の流量を監視する場合でも良い。
【００４１】
また、排出用接続部２３は、例えば、その内径が８Φのステンレス管であり、それぞれ開閉用のバルブ２６が配設されている。排出用接続部２３の先端部には、例えば、竹の子ソケット２３Ａが配設され、竹の子ソケット２３Ａには、洗浄用流体供給管路１３がバンド締結により取り付けられる。そして、作業者は、バルブ２６を開閉操作し、配管洗浄を希望する枝排水管１５Ａへ洗浄用流体を送り出すことができる。
【００４２】
図３（Ａ）に示す洗浄用流体注入管路１４は、左右方向（戸建て住宅１１の水平方向）へ延在する枝排水管１５Ａに対して配設する構造となっている。一方、図３（Ｂ）に示す洗浄用流体注入管路１４は、上下方向（戸建て住宅１１の高さ方向）へ延在する枝排水管１５Ａに対して配設する構造となっている。そして、洗浄用流体注入管路１４は、例えば、枝排水管１５Ａの排水口近傍であり、枝排水管１５Ａの排水トラップ、例えば、Ｓ字トラップの上流側に配設されている。
【００４３】
図３（Ａ）及び図３（Ｂ）に示す如く、どちらの構造においても、洗浄用流体注入管路１４は、逆止弁機構を有する逆止弁管１４Ａと、洗浄用流体の注入管１４Ｂと、から構成されている。そして、排水口側（上流側）に逆止弁管１４Ａが位置するように、逆止弁管１４Ａと注入管１４Ｂとは、その端部同士が接着固定されている。尚、逆止弁管１４Ａとして透明配管を用いることで、外部から生活排水や洗浄用流体の流れる状況を目視にて確認することもできる。
【００４４】
逆止弁管１４Ａとしては、例えば、ドレイン用逆止弁管が用いられ、生活排水が排水口から主排水管１５Ｂに向けて流れる際には、逆止弁機構である逆止弁プレート１４Ｃが可動し、生活排水が主排水管１５Ｂへと向けて流れる。一方、洗浄用流体が排水口へと向けて流れる際には、逆止弁プレート１４Ｃが閉じた状態を維持することで逆流を防止し、洗浄用流体は主排水管１５Ｂへと向けて流れる。一方、注入管１４Ｂとしては、例えば、チーズ管が用いられ、その１つの開口端部に竹の子ソケット１４Ｄを介して洗浄用流体供給管路１３がバンド締結される。
【００４５】
図４に示す如く、本実施形態の洗浄装置１０は、アパートやマンション等の集合住宅３１に配設し、排水管３２の洗浄に用いることができる。集合住宅３１では、排水管３２としては、各部屋に主排水管３２Ａと、枝排水管（図示せず）と、を有し、更には、各部屋の主排水管３２Ａが連結する集合排水管３２Ｂも有している。
【００４６】
図１から図３を用いて上述したように、集合住宅３１では、例えば、各部屋の水道メータ等が配設されるメータ類収納ボックス内や廊下側の外壁等にマルチヘッダー部１２が配設されている。そして、洗浄用流体供給管路１３及び洗浄用流体注入管路１４を各部屋の枝排水管（図示せず）に対して配設することで、枝排水管及び主排水管３２Ａの内部を洗浄用流体にて洗浄することができる。更には、洗浄用流体は、各部屋の主排水管３２Ａから集合排水管３２Ｂへと流れ込むことで、集合排水管３２Ｂの内部も洗浄することができる。尚、洗浄用流体は、集合排水管３２Ｂから排水マス３３へと流れ込んだ後、公共の下水管３４へと流れ込む。
【００４７】
尚、本実施形態では、戸建て住宅１１や集合住宅３１に洗浄装置１０を配設し、洗浄用流体により排水管の内部を洗浄する場合について説明したが、この場合に限定するものではない。例えば、オフィスビル等の建築物の排水管に対しても、上述した洗浄装置１０を配設することで、同様な効果を得ることができる。その他、本発明の要旨を逸脱しない範囲にて種々の変更が可能である。
【００４８】
次に、図５及び図６を用いて、図１から図４を用いて上述した洗浄装置１０に洗浄用流体としての泡状洗浄剤を供給するための泡生成装置１１０を図面に基づき詳細に説明する。尚、本実施形態の説明の際には、同一の部材には原則として同一の符番を用い、繰り返しの説明は省略する。
【００４９】
図５は、本実施形態の泡生成装置１１０の構成を説明する系統図である。
【００５０】
図５に示す如く、泡生成装置１１０は、主に、空気圧縮機１１１と、空気搬送管路１１２と、圧力レギュレータ１１３、１１４と、流量調整弁１１５、１１６と、空気加温機１１７と、泡生成機構１１８、１１９、１２０と、泡搬送管路１２１と、洗浄液貯留タンク１２２と、洗浄液加熱タンク１２３と、洗浄液搬送管路１２４と、電動ポンプ１２５と、泡放出装置１２６と、を有している。尚、各管路１１２、１２１、１２４には、適所に継手が配設され、各管路１１２、１２１、１２４の長さや配管経路が調整されている。
【００５１】
泡生成装置１１０では、例えば、３箇所の泡生成機構１１８、１１９、１２０を有し、泡生成機構１１８、１１９にて生成された泡状洗浄剤を泡生成機構１２０にて合流させる。そして、合流した泡状洗浄剤が泡生成機構１２０を通過することで、更に極め細やかな泡として生成される。更には、泡生成機構１２０の上流側の泡生成機構１１８、１１９の２系統にて泡を生成することで泡状洗浄剤の安定供給を実現している。
【００５２】
泡生成機構１２０にて生成された泡状洗浄剤が、泡放出装置１２６を介して建築物の配管等の洗浄対象物へと流し込まれることで、その洗浄対象物の内部が泡状洗浄剤にて充填される。そして、泡状洗浄剤は、後から充填される泡状洗浄剤に押されることでゆっくりと洗浄対象物の内部を流れるが、泡状洗浄剤は、その内部に蔓延る油汚れ等を包み込み、化学的に洗浄する。このとき、泡生成機構１１８、１１９、１２０を用いて段階的に泡を生成することで、最終的に極め細やかであり、安定した状態の泡が生成され、泡の液状化を大幅に遅らせることができる。その結果、洗浄対象物の内部が最後まで泡状洗浄剤にて充填された状態を維持し、洗浄対象物の内部全面を効果的に洗浄することができる。尚、ここでいう洗浄とは、管路内の清掃、殺菌、害虫の駆除、カビの除去等を含む概念である。
【００５３】
空気圧縮機１１１は、例えば、高圧コンプレッサであり、空気の取出し口に高圧カプラを有し、約３．５ＭＰａまでの高圧の圧縮空気を送り出すことができる。そして、空気圧縮機１１１には減圧調整弁が配設され、空気圧縮機１１１から圧縮空気を送り出す際に、所望の圧力に調整することができる。尚、空気圧縮機１１１の空気タンク容量が約１２Ｌであるが、洗浄時の作業量に応じて多量の圧縮空気を利用する場合には、空気圧縮機１１１の取出し口近傍にサブタンク（図示せず）を設け、適宜、圧縮空気を貯留する場合でも良い。
【００５４】
空気搬送管路１１２は、例えば、高圧ゴムホースや高圧ビニールホースから構成され、本実施形態では、第１の空気搬送管路１１２Ａ、第２の空気搬送管路１１２Ｂ、第３の空気搬送管路１１２Ｃを有している。尚、空気搬送管路１１２は、上記高圧ゴムホース等から構成される場合について説明するが、この場合に限定するものではない。空気搬送管路１１２としては、例えば、ステンレス製の配管等、高耐圧の金属製の配管が用いられる場合でも良い。また、空気搬送管路１１２に断熱材が巻かれることで、あるいは、空気搬送管路１１２として保温性の材料が用いられることで、空気搬送管路１１２内を流れる圧縮空気の温度低下を出来る限り防止することができる。
【００５５】
第１の空気搬送管路１１２Ａは、その一端側が空気圧縮機１１１に連結されることで、空気圧縮機１１１から送り出される圧縮空気を下流側へと流す。詳細は後述するが、第１の空気搬送管路１１２Ａの他端側は、配管継手であるチーズ１２７に連結され、圧縮空気の配管経路は、１系統から２系統へと分岐される。そして、第２の空気搬送管路１１２Ｂ及び第３の空気搬送管路１１２Ｃの一端側は、上記チーズ１２７に連結され、第２の空気搬送管路１１２Ｂ及び第３の空気搬送管路１１２Ｃの他端側は、それぞれ泡生成機構１１８、１１９に連結される。
【００５６】
圧力レギュレータ１１３は、第１の空気搬送管路１１２Ａに配設され、空気圧縮機１１１から送り出される圧縮空気の圧力を所望の圧力へと減圧する。例えば、圧力レギュレータ１１３では、１次側の圧力である３．５ＭＰａから２次側の圧力である０．８ＭＰａまで減圧する。尚、泡生成機構１２０にて生成された泡の状態を見ながら、圧縮空気は、圧力レギュレータ１１３を介して所望の圧力へと調整される。
【００５７】
流量調整弁１１５は、圧力レギュレータ１１３の下流側の第１の空気搬送管路１１２Ａに配設され、第１の空気搬送管路１１２Ａ内を流れる圧縮空気の流量が調整される。そして、圧力レギュレータ１１３と同様に、泡生成機構１２０にて生成された泡の状態を見ながら、圧縮空気の流量は、流量調整弁１１５を介して所望の流量へと調整される。
【００５８】
空気加温機１１７は、例えば、ネジ込みシェル型ヒータであり、流量調整弁１１５の下流側の第１の空気搬送管路１１２Ａに配設され、圧力と流量とが調整された圧縮空気を加熱する。詳細は後述するが、加熱された圧縮空気と加熱された洗浄液とを混合し、加熱された泡状洗浄剤を生成し、上記洗浄対象物の内部へと流すことで、洗浄液の活性化により油分の分解能力等の洗浄能力を高めることができる。そして、圧縮空気は、空気加温機１１７を通過することで、例えば、６０℃〜７５℃に加熱されるが、加熱温度を安定化するために、２機の空気加温機１１７が、第１の空気搬送管路１１２Ａに直列的に配設される場合でも良い。
【００５９】
泡生成機構１１８は、主に、ステンレス製の配管１１８Ａと、エアバルブ１１８Ｂと、逆止弁１１８Ｃと、液バルブ１１８Ｄと、逆止弁１１８Ｅと、チーズ１１８Ｈと、泡バルブ１１８Ｉと、を有している。そして、配管１１８Ａは、複数の内径の異なる配管等を組み合わせて構成されることで、泡生成機構１１８内に縮径部１１８Ｆと拡径部１１８Ｇとが形成されている。尚、配管１１８Ａは、ステンレス製の配管に限定されるものではなく、高耐圧の金属製の配管が用いられる場合でも良い。
【００６０】
泡生成機構１１８の上流側には、それぞれ第２の空気搬送管路１１２Ｂ及び第２の洗浄液搬送管路１２４Ｂが連結している。そして、第２の空気搬送管路１１２Ｂからの圧縮空気と第２の洗浄液搬送管路１２４Ｂからの洗浄液とが合流して混合し、その混合流体が、上記縮径部１１８Ｆと拡径部１１８Ｇとを通過することで、泡状洗浄剤が生成される。尚、配管１１８Ａには、拡径部１１８Ｇの下流側に泡バルブ１１８Ｉが配設され、配管１１８Ａを流れる泡の流量を調整することができる。
【００６１】
泡生成機構１１９も泡生成機構１１８と同じ機構であり、主に、ステンレス製の配管１１９Ａと、エアバルブ１１９Ｂと、逆止弁１１９Ｃと、液バルブ１１９Ｄと、逆止弁１１９Ｅと、チーズ１１９Ｈと、泡バルブ１１９Ｉと、を有し、泡生成機構１１９の上流側には、それぞれ第３の空気搬送管路１１２Ｃ及び第３の洗浄液搬送管路１２４Ｃが連結している。そして、第３の空気搬送管路１１２Ｃからの圧縮空気と第３の洗浄液搬送管路１２４Ｃからの洗浄液とが合流して混合し、その混合流体が、泡生成機構１１９の縮径部１１９Ｆと拡径部１１９Ｇとを通過することで、泡状洗浄剤が生成される。尚、配管１１９Ａにも、拡径部１１９Ｇの下流側に泡バルブ１１９Ｉが配設され、配管１１９Ａを流れる泡の流量を調整することができる。
【００６２】
泡生成機構１２０は、主に、ステンレス製の配管１２０Ａと、泡生成機構１１８、１１９にて生成された泡を合流させるチーズ１２０Ｂと、を有している。そして、配管１２０Ａは、複数の内径の異なる配管等を組み合わせて構成されることで、泡生成機構１２０内に縮径部１２０Ｃと拡径部１２０Ｄとが形成されている。尚、配管１２０Ａは、ステンレス製の配管に限定されるものではなく、高耐圧の金属製の配管が用いられる場合でも良い。
【００６３】
泡生成機構１２０は、泡生成機構１１８、１１９の下流側に配設され、各配管１１８Ａ、１１９Ａ、１２０Ａが、チーズ１２０Ｂを介して連結し、泡生成機構１２０の手前にて、泡生成機構１１８、１１９にて生成された泡状洗浄剤が合流し、泡生成機構１２０へと流れ込む。そして、泡生成機構１２０では、チーズ１２０Ｂ内にて衝突させた泡状洗浄剤が、その縮径部１２０Ｃ及び拡径部１２０Ｄを通過することで、更に泡状化され、極め細やかであると共に安定した状態の泡として生成される。
【００６４】
泡搬送管路１２１は、例えば、高圧ゴムホースや高圧ビニールホースから構成され、泡搬送管路１２１の一端側が泡生成機構１２０の配管１２０Ａと連結し、泡搬送管路１２１の他端側が泡放出装置１２６と連結している。泡搬送管路１２１は、ホースリール１２８に巻かれた状態にて収納され、例えば、３０ｍ／本の長さを有する。そして、上記洗浄対象物の高さ等に応じて、泡搬送管路１２１は、継手（図示せず）を介して複数本が連結されることで、その全長が調整される。
【００６５】
洗浄液貯留タンク１２２は、例えば、２００Ｌの洗浄液を貯留できる容量を有し、ステンレス製のタンクあるいは耐アルカリ性の素材からなるタンクである。そして、洗浄液貯留タンク１２２内には、例えば、ステンレススモール潜水ヒータ１２２Ａが配設され、洗浄液貯留タンク１２２内に貯留した洗浄液を約７０〜８０℃まで加熱することができる。尚、洗浄液貯留タンク１２２は、仕切板（図示せず）にてその内部が２つの領域に区分され、区分された一方に上記洗浄液が貯留され、区分された他方に水が貯留される場合でも良い。
【００６６】
この場合、例えば、洗浄液搬送管路１２４が、洗浄液貯留タンク１２２の水側の吐出口に連結されると共に、エアバルブ１１８Ｂ、１１９Ｂが閉状態とされることで、泡生成装置１１０を高圧洗浄装置として用いることができる。更に、上記水にて各泡生成機構１１８、１１９、１２０等を水洗浄することができ、各配管１１８Ａ、１１９Ａ、１２０Ａや泡搬送管路１２１等が薬品により劣化することが防止される。
【００６７】
洗浄液加熱タンク１２３は、洗浄液貯留タンク１２２と同様に、ステンレス製のタンクあるいは耐アルカリ性の素材からなるタンクであり、例えば、２０Ｌの洗浄液を貯留できる容量を有している。洗浄液加熱タンク１２３は、そのタンク内にフランジ型ヒータが内蔵され、洗浄液加熱タンク１２３内に貯留した洗浄液を約７０℃〜８０℃まで加熱することができる。そして、洗浄液加熱タンク１２３は、洗浄液貯留タンク１２２の近傍に配設されている。尚、洗浄液加熱タンク１２３は、必須の構成要素ではなく、ステンレススモール潜水ヒータ１２２Ａを介して、洗浄液貯留タンク１２２内に貯留した洗浄液を十分に加熱できる場合には、省略することも可能である。一方、冬場の作業のように、ステンレススモール潜水ヒータ１２２Ａだけでは十分に洗浄液を加熱出来ない場合には、補助的に洗浄液加熱タンク１２３を用いても良い。逆に、洗浄液の使用量が少ない現場では、ステンレススモール潜水ヒータ１２２Ａを停止させ、洗浄液加熱タンク１２３にて洗浄液を加熱することで、消費電力を抑えることもできる。
【００６８】
洗浄液搬送管路１２４は、例えば、高圧ゴムホースや高圧ビニールホースから構成され、本実施形態では、第１の洗浄液搬送管路１２４Ａ、第２の洗浄液搬送管路１２４Ｂ、第３の洗浄液搬送管路１２４Ｃを有している。尚、洗浄液搬送管路１２４は、上記高圧ゴムホース等から構成される場合について説明するが、この場合に限定するものではない。洗浄液搬送管路１２４としては、例えば、ステンレス製の配管等、高耐圧の金属製の配管が用いられる場合でも良い。また、洗浄液搬送管路１２４に断熱材が巻かれることで、あるいは、洗浄液搬送管路１２４として保温性の材料が用いられることで、洗浄液搬送管路１２４内を流れる洗浄液の温度低下を出来る限り防止することができる。
【００６９】
第１の洗浄液搬送管路１２４Ａは、その一端側が洗浄液貯留タンク１２２に連結されることで、洗浄液貯留タンク１２２内の洗浄液を下流側へと送り出す。第１の洗浄液搬送管路１２４Ａの他端側は、配管継手であるチーズ１２９に連結され、洗浄液の配管経路は、１系統から２系統へと分岐される。そして、第２の洗浄液搬送管路１２４Ｂ及び第３の洗浄液搬送管路１２４Ｃの一端側は、上記チーズ１２９に連結され、第２の洗浄液搬送管路１２４Ｂ及び第３の洗浄液搬送管路１２４Ｃの他端側は、それぞれ泡生成機構１１８、１１９に連結される。
【００７０】
電動ポンプ１２５は、例えば、自給式であり、その最高圧力は３．５Ｍｐａ、その給水量は毎分２．９Ｌ〜３．５Ｌである。電動ポンプ１２５は、洗浄液加熱タンク１２３の下流側の第１の洗浄液搬送管路１２４Ａに配設され、洗浄液貯留タンク１２２内の洗浄液を第１の洗浄液搬送管路１２４Ａを介して圧送する。尚、電動ポンプ１２５は、洗浄液を泡生成機構１１８、１１９まで圧送することを主目的とし、生成された泡状洗浄剤は、空気圧縮機１１１による圧力と共に泡放出装置１２６まで圧送される。つまり、洗浄液は、電動ポンプ１２５の圧力により泡放出装置１２６まで圧送される構造ではなく、電動ポンプ１２５の小型化が実現され、その騒音も大幅に低減できる。
【００７１】
圧力レギュレータ１１４は、電動ポンプ１２５の下流側の第１の洗浄液搬送管路１２４Ａに配設され、上述したように、電動ポンプ１２５を介して圧送される洗浄液の圧力を所望の圧力へと減圧する。例えば、圧力レギュレータ１１４では、１次側の圧力である３．５ＭＰａから２次側の圧力である０．８ＭＰａまで減圧する。尚、泡生成機構１２０にて生成された泡の状態を見ながら、洗浄液は、圧力レギュレータ１１４を介して所望の圧力へと調整される。
【００７２】
流量調整弁１１６は、圧力レギュレータ１１４の下流側の第１の洗浄液搬送管路１２４Ａに配設され、第１の洗浄液搬送管路１２４Ａ内を流れる洗浄液の流量が調整される。そして、圧力レギュレータ１１４と同様に、泡生成機構１２０にて生成された泡の状態を見ながら、洗浄液の流量は、流量調整弁１１６を介して所望の流量へと調整される。
【００７３】
泡放出装置１２６は、泡搬送管路１２１の先端に配設され、例えば、泡搬送管路１２１からの泡状洗浄剤の放出量を調整する開閉レバー１２６Ａと、泡状洗浄剤を放出するノズル１２６Ｂと、を有している。作業者は、泡搬送管路１２１を伸ばし、施工現場まで泡放出装置１２６を運び、ノズル１２６Ｂを上記洗浄対象物に対してセットした後、開閉レバー１２６Ａを操作し、洗浄対象物の内部へと泡状洗浄剤を流し込む。そして、マンション等の各部屋の配管を洗浄する場合等、施工現場を移動する際には、開閉レバー１２６Ａを操作し、泡放出装置１２６を閉状態とすることで、泡状洗浄剤が施工現場の周囲に撒き散らされることが防止される。尚、図１から図４を用いて上述したように、泡生成装置１１０にて生成された泡状洗浄剤を洗浄装置１０のマルチヘッダー部１２へと送り込む際には、泡放出装置１２６を図２に示す圧力調整弁２７と、装着用プラグ２８と、開閉用レバー２９とから構造される注入構造へと付け替えることで、簡易に対応することができる。
【００７４】
泡生成装置１１０では、一点鎖線１３０にて囲まれた部分が、例えば、洗浄車（図示せず）内に配設される。上述したように、作業時には、泡搬送管路１２１を伸ばし、施工現場まで泡放出装置１２６を運び、洗浄作業を行う。そして、本実施形態では、空気圧縮機１１１を用いて圧縮空気を生成するが、空気圧縮機１１１の大きさは、例えば、幅３４８ｍｍ×奥行４９７ｍｍ×高さ３３７ｍｍであり、その重量は、１２Ｋｇである。
【００７５】
つまり、泡生成装置１１０では、従来のガスボンベ式の泡生成装置と比較して、空気圧縮機１１１を１台用い、継続的に圧縮空気を供給することができる。そして、作業時間等に応じてガスボンベの本数を増加させる必要もなく、圧縮空気の供給手段として、大幅にその大きさ及び重量を低減することができ、洗浄車の小型化が実現される。その結果、泡生成装置１１０を搭載した洗浄車は、都内の狭い路地の施工現場にも対応することができる。また、泡生成装置１１０では、空気圧縮機１１１を用いることで、洗浄車から使用済みのガスボンベを降ろし、充填されたガスボンベを積込む重作業を無くし、作業効率が大幅に向上される。
【００７６】
また、泡生成装置１１０では、空気圧縮機１１１が電動式であり、洗浄車のバッテリーが継続する限りにおいては、継続的に圧縮空気を供給することができるので、上述したように、図４に示す集合住宅３１での配管洗浄等、長時間の作業を要する施工現場にも対応することができる。尚、洗浄車内に泡生成装置１１０専用のバッテリーや発電機を搭載し、長時間に渡る洗浄作業に対応する場合でも良い。また、洗浄対象物である建築物等の外部電源を利用して洗浄作業を行う場合でも良い。
【００７７】
図６は、本実施形態の泡生成装置１１０の泡生成機構１１８、１１９、１２０の構成を説明する図である。尚、図６では、ステンレス製の配管１１８Ａ、１１９Ａ、１２０Ａやその他部材を組み合わせて構成する場合について説明するが、この構成は１例であり、この構成に限定するものではない。
【００７８】
図６では、泡生成装置１１０の泡生成機構１１８、１１９、１２０の１例を示すが、図示したように、例えば、紙面左側に泡生成機構１１８が配設され、紙面右側に泡生成機構１１９が配設され、紙面上側に泡生成機構１２０が配設されている。泡生成装置１１０では、泡生成機構１１８と泡生成機構１１９とが並列に配設され、２系統にて泡状洗浄剤が生成される。泡生成機構１１８、１１９にて生成された泡状洗浄剤がチーズ１２０Ｂを介して１系統に合流した後、その合流した泡状洗浄剤が泡生成機構１２０の縮径部１２０Ｃ（図５参照）及び拡径部１２０Ｄ（図５参照）を通過することで、更に極め細やかな泡としての泡状洗浄剤が生成される。
【００７９】
上述したように、泡生成機構１１８の配管１１８Ａは、その内径の異なる複数の配管１１８Ａ１、１１８Ａ２、１１８Ａ４、１１８Ａ５等が組み合わせることで、泡生成機構１１８内に縮径部１１８Ｆと拡径部１１８Ｇとを形成している。
【００８０】
例えば、液バルブ１１８Ｄの一端側には、配管１１８Ａ１、１１８Ａ２が連結され、配管１１８Ａ１の先端には第２の洗浄液搬送管路１２４Ｂが連結されている。液バルブ１１８Ｄ内の管路の内径、配管１１８Ａ１、１１８Ａ２及び第２の洗浄液搬送管路１２４Ｂの内径は６ｍｍである。一方、液バルブ１１８Ｄの他端側には、配管１１８Ａ３が連結され、配管１１８Ａ３内には逆止弁１１８Ｅが連結されている。そして、配管１１８Ａ３の内径及び逆止弁１１８Ｅの開口時の径は４ｍｍである。
【００８１】
配管１１８Ａ３は、チーズ１１８Ｈの一端側に連結し、チーズ１１８Ｈ内の管路の内径は６ｍｍである。チーズ１１８Ｈの他端側には配管１１８Ａ４が連結し、配管１１８Ａ４は、泡バルブ１１８Ｉの一端側に連結する。配管１１８Ａ４及び泡バルブ１１８Ｉ内の管路の内径は８ｍｍである。そして、泡バルブ１１８Ｉの他端側には、配管１１８Ａ５が連結し、配管１１８Ａ５の内径は１０ｍｍである。尚、エアバルブ１１８Ｂ側の配管構造は、上述した液バルブ１１８Ｄ側の配管構造と同一であり、エアバルブ１１８Ｂの他端には、配管１１８Ａ３が連結され、配管１１８Ａ３内には逆止弁１１８Ｃが連結され、管１１８Ａ３の内径及び逆止弁の開口時の径は４ｍｍである。
【００８２】
上述したように、泡生成機構１１８では、エアバルブ１１８Ｂ及び液バルブ１１８Ｄの下流側にて、管径が６ｍｍから４ｍｍへと縮径し、逆止弁１１８Ｃ、１１８Ｅ及び配管１１８Ａ３により、泡生成機構１１８の縮径部１１８Ｆが形成されている。一方、泡生成機構１１８では、チーズ１１８Ｈ内にて、管径が４ｍｍから６ｍｍへと拡径し、少なくともチーズ１１８Ｈにて拡径部１１８Ｇが形成されている。
【００８３】
つまり、泡生成機構１１８では、圧縮空気と洗浄液とが、それぞれ圧縮状態から開放された状態にて、拡径部であるチーズ１１８Ｈ内にて激しく衝突しながら合流することで、圧縮空気と洗浄液とが良く混ざり合い、その混合流体の圧縮空気が一気に増大することで、泡が生成される。尚、上述したように、泡生成機構１１８の拡径部１１８Ｇは、少なくともチーズ１１８Ｈを有するが、６ｍｍ、８ｍｍ、１０ｍｍと段階的に拡径する配管１１８Ａ４、泡バルブ１１８Ｉ及び配管１１８Ａ５も拡径部１１８Ｇとして用いることもできる。この場合においても、管路が段階的に拡径することで、圧縮空気も徐々に増大し、泡生成機構１２０に向けて泡状化することができる。
【００８４】
泡を生成する条件としては、例えば、圧縮空気及び洗浄液の圧力は、それぞれ０．８ＭＰａ程度であり、洗浄液の容量と圧縮空気との容量比が、１：１０〜１：２０となる様に調整することで、安定した状態の泡が生成される。尚、洗浄液の容量を多くすることで柔らかい泡が生成され、一方、圧縮空気の容量を多くすることで硬い泡が生成されるが、施工現場にてその日の気温等を加味しながら、泡の状態は、適宜、調整することができる。
【００８５】
泡生成装置１１０では、泡生成機構１２０の上流側にて泡生成機構１１８、１１９の２系統により泡状洗浄剤を生成することで、泡状洗浄剤の安定供給を実現している。尚、泡生成機構１１９は泡生成機構１１８と同じ機構であり、上述した泡生成機構１１８の説明を参照し、ここでは詳細の説明を省略する。そして、泡生成機構１１９においても、縮径部１１９Ｆは、管径が６ｍｍから４ｍｍへと縮径し、逆止弁１１９Ｃ、１１９Ｅ及び配管１１９Ａ３により形成されている。一方、拡径部１１９Ｇは、管径が４ｍｍから６ｍｍへと拡径し、少なくともチーズ１１９Ｈにて拡径部１１９Ｇが形成されている。また、６ｍｍ、８ｍｍ、１０ｍｍと段階的に拡径する配管１１９Ａ４、泡バルブ１１９Ｉ及び配管１１９Ａ５も拡径部１１９Ｇとして用いることもできる。
【００８６】
泡生成機構１２０では、各配管１１８Ａ、１１９Ａ、１２０Ａが、チーズ１２０Ｂを介して連結するが、チーズ１２０Ｂ内の管路の内径は１０ｍｍである。そして、チーズ１２０Ｂの形状により、配管１１８Ａを流れる泡と配管１１９Ａを流れる泡とが、チーズ１２０Ｂ内にて正面衝突することで、泡同士がその衝撃により攪拌される。
【００８７】
例えば、泡状洗浄剤の泡は、微細な気泡の集合体であるが、個々の気泡の粒径が小さくなると共に、略球体形状となることで破裂し難くなり、長時間気泡の状態を維持することができる。そして、泡生成機構１１８、１１９にて生成された泡状洗浄剤の泡は、洗浄液と圧縮空気との混合流体から泡として生成されるため、個々の泡の大きさもばらばらであり、その形状も略球体形状のものは少なく、安定した状態の泡とはなり難い。そこで、上述したように、泡生成機構１２０では、泡同士を衝突させ、攪拌することで、個々の泡の大きさも微細化する。そして、攪拌した泡が、再び、泡生成機構１２０の縮径部１２０Ｃ及び拡径部１２０Ｄを通過することで、液状化し難い安定した状態の極め細やかな泡が生成される。
【００８８】
図示したように、配管１２０Ａの一端側は、チーズ１２０Ｂに連結すると共に、配管１２０Ａの他端側は、泡バルブ１２０Ｅの一端に連結する。そして、配管１２０Ａの内径は８．５ｍｍであり、チーズ１２０Ｂの内径の１０ｍｍから縮径されている。一方、泡バルブ１２０Ｅ内の管路の内径は１０ｍｍである。尚、泡バルブ１２０Ｅの他端側には、泡搬送管路１２１の配管が連結され、その配管の内径は１０ｍｍである。また、拡径部１２０Ｄとしては、少なくとも泡バルブ１２０Ｅを有し、同径である泡搬送管路１２１も拡径部１２０Ｄとしても良い。
【００８９】
以上より、泡生成機構１２０では、配管１２０Ａにより縮径部１２０Ｃが形成され、泡バルブ１２０Ｅ内の管路により拡径部１２０Ｄが形成されている。そして、チーズ１２０Ｂ内にて攪拌された泡が、縮径部１２０Ｃである配管１２０Ａにて更に圧縮され、拡径部１２０Ｄである泡バルブ１２０Ｅの管路にて圧縮空気が一気に増大することで、更に極め細やかな泡が生成される。
【００９０】
上述したように、本実施形態の泡生成装置１１０では、例えば、３箇所の泡生成機構１１８、１１９、１２０を有し、泡生成機構１１８、１１９、１２０では、それぞれ縮径部１１８Ｆ、１１９Ｆ、１２０Ｃと拡径部１１８Ｇ、１１９Ｇ、１２０Ｄとが形成されている。そして、圧縮空気と洗浄液とが、上記縮径部１１８Ｆ、１１９Ｆ、１２０Ｃ及び拡径部１１８Ｇ、１１９Ｇ、１２０Ｄを通過することで泡状洗浄剤が生成される。この構造により、従来の泡生成装置のように、泡生成装置１１０の管路内に泡生成用のメッシュフィルタを配設する必要がなく、管路内にて上記メッシュフィルタに起因する目詰まりが発生しない構造が実現される。尚、必ずしも泡生成用のメッシュフィルタが不要である訳ではなく、定期的な清掃によりフィルタの目詰まりが解消されることで、メッシュフィルタを用いる場合でも良い。そして、メッシュフィルタを用いることで、更に極め細やかな泡を生成する場合でも良い。
【００９１】
また、泡生成装置１１０では、泡生成機構１１８、１１９の２系統にて生成した泡状洗浄剤を合流させ、泡生成機構１２０の１系統にした後、泡搬送管路１２１を介して泡放出装置１２６へと圧送する。例えば、複数の部屋数を有する高層建築物の洗浄作業では、１部屋の配管へ泡状洗浄剤を充填し洗浄作業を終えた後、別の部屋へ移動し、洗浄作業を再開する必要がある。その結果、各部屋の移動の間は泡状洗浄剤の放出は行わないため、高所の泡搬送管路１２１内の泡状洗浄剤の一部が、泡搬送管路１２１内にて地上側へと落下し、泡搬送管路１２１内の低い位置に溜まってしまう場合もある。
【００９２】
この場合、上記溜まった泡状洗浄剤の一部が液状化することもあり、洗浄作業を再開した際に、泡生成機構１２０にて生成された泡状洗浄剤にて、泡搬送管路１２１内の泡状洗浄剤と一緒に上記液状化した洗浄液も押し上げなければならない。泡生成装置１１０では、泡生成機構１２０の手前にて２系統から１系統へ合流させることで十分な圧力を有しており、上記液状化した洗浄液が泡搬送管路１２１内に存在する場合でも、確実に泡状洗浄剤を泡放出装置１２６まで圧送することができる。
【００９３】
つまり、上述したように、地上の洗浄車内にて生成した泡状洗浄剤が泡搬送管路１２１を介してマンション等の高所へと圧送されるが、圧縮空気と洗浄液との混合流体を泡状とすることで、例えば、洗浄液の体積は、１０〜２０倍へ膨張される一方、その重量は１／１０倍〜１／２０倍へと軽量化される。つまり、洗浄液を泡状にしてから高所へと圧送することで、洗浄液を高所へ圧送する際の圧力と比較して大幅にその圧力を低減することができる。そして、泡搬送管路１２１内の泡状洗浄剤は、泡生成機構１１８、１１９による２系統の圧力にて押されることで、上記液状化した洗浄液が泡搬送管路１２１内に存在する場合でも、確実に泡状洗浄剤を泡放出装置１２６まで圧送することができる。
【００９４】
また、泡生成装置１１０では、空気搬送管路１１２及び洗浄液搬送管路１２４に関し、それぞれ第１の空気搬送管路１１２Ａ及び第１の洗浄液搬送管路１２４Ａの１系統の管路から、第２の空気搬送管路１１２Ｂ、第３の空気搬送管路１１２Ｃ及び第２の洗浄液搬送管路１２４Ｂ、第３の洗浄液搬送管路１２４Ｃの２系統の管路へ分岐し、それぞれ泡生成機構１１８、１１９に連結する場合について説明したが、この場合に限定するものではない。例えば、１系統の第１の空気搬送管路１１２Ａ及び第１の洗浄液搬送管路１２４Ａから、３系統以上の空気搬送管路及び洗浄液搬送管路へ分岐する場合でも良い。この場合でも、並列配置された３箇所以上の泡生成機構にて生成された泡状洗浄剤が、泡生成機構１２０の手前にて合流し、合流した泡状洗浄剤が泡生成機構１２０を通過することで、上述した効果と同様な効果を得ることができる。
【００９５】
また、泡生成装置１１０では、空気圧縮機１１１にて生成した圧縮空気が、空気搬送管路１１２にのみ供給され、洗浄液貯留タンク１２２内の洗浄液が、電動ポンプ１２５介して洗浄液搬送管路１２４へ供給される場合について説明したが、この場合に限定するものではない。例えば、新たな空気搬送管が、空気圧縮機１１１と洗浄液貯留タンク１２２とを連結し、上記圧縮空気が、洗浄液貯留タンク１２２内に送り込まれ、圧縮空気の圧力により洗浄液を洗浄液搬送管路１２４へと供給する場合でも良い。この場合には、電動ポンプ１２５を用いることなく、あるいは、電動ポンプ１２５と併用することで、上述したように、空気搬送管路１１２内の圧縮空気と、洗浄液搬送管路１２４内の洗浄液とを混合させ、泡状洗浄剤を生成することができる。その他、本発明の要旨を逸脱しない範囲にて種々の変更が可能である。
【符号の説明】
【００９６】
１０  洗浄装置
１２  マルチヘッダー部
１３  洗浄用流体供給管路
１４  洗浄用流体注入管路
１５、３２  排水管
１５Ａ  枝排水管
１５Ｂ、３２Ａ  主排水管
２２  注入用接続部
２３  排出用接続部
２４  分岐配管
２７  圧力調整弁
２８  装着用プラグ
２９  開閉用レバー
３２Ｂ  集合排水管
１１０  泡生成装置
１１１  空気圧縮機
１１２  空気搬送管路
１１３、１１４  圧力レギュレータ
１１５、１１６  流量調整弁
１１７  空気加温機
１１８、１１９、１２０  泡生成機構
１２１  泡搬送管路
１２２  洗浄液貯留タンク
１２３  洗浄液加熱タンク
１２４  洗浄液搬送管路
１２５  電動ポンプ
１２６  泡放出装置
【図１】
2020035914.tif 000003
【図２】
2020035914.tif 000004
【図３】
2020035914.tif 000005
【図４】
2020035914.tif 000006
【図５】
2020035914.tif 000007
【図６】
2020035914.tif 000008
【国際調査報告】
2020035914.tif 000009
2020035914.tif 000010
2020035914.tif 000011